(57)【要約】【課題】メンテナンス、アクセス両通路を、交差しかつ段差を持って設け、メンテナンス時に、交差部分で分断されたアクセス通路の通行を、通路構成部材によって遮断できるようにする。【解決手段】メンテナンス、アクセス両通路７，１１の交差部分において、メンテナンス通路７の上方に交差部カバー部材１２を、メンテナンス時以外はアクセス通路１１の床板となり、メンテナンス時にはメンテナンス通路７の通行の妨げとならないように同通路上方から外れるように回動可能に設ける。一方、交差部分の防護柵としての交差部ガード部材１５を回動可能に設け、メンテナンス時に、両部材１２，１５によってアクセス通路１１を交差部分の手前で遮断するように構成した。【選択図】図３
2014202021.tif 000002
【特許請求の範囲】
【請求項１】
次の(Ａ)〜(Ｇ)のすべての要件を具備することを特徴とする建設機械。
(Ａ)  下部走行体上に上部旋回体が旋回自在に搭載され、この上部旋回体は、作業員用の通路として、エンジン等の機器類のメンテナンスを行うための左右方向に延びるメンテナンス通路と、上部旋回体の少なくとも左右一側において作業員が前後方向に移動するための前後方向に延びるアクセス通路を有すること。
(Ｂ)  上記メンテナンス通路は、一端側に作業員が出入りするための出入り口を有すること。
(Ｃ)  上記メンテナンスとアクセス通路は、上記メンテナンス通路の出入り口側の端部で交差し、かつ、アクセス通路が高位となるように段差をもって設けたこと。
(Ｄ)  上記両通路の交差部分に交差部カバー部材を、メンテナンス通路を上方から覆う状態で上記アクセス通路の交差部分での床板となる第１の位置と、メンテナンス通路の通行の妨げとならないようにメンテナンス通路の上方から外れる第２の位置との間で移動可能に設けたこと。
(Ｅ)  上記アクセス通路の外縁に転落防止用の防護柵であるガードレールをアクセス通路に沿って設けたこと。
(Ｆ)  上記交差部分の外縁に、交差部分の防護柵となる交差部ガード部材を設けたこと。
(Ｇ)  上記交差部カバー部材と交差部ガード部材の少なくとも一方について、交差部カバー部材の場合は上記第２の位置として、交差部ガード部材の場合は防護柵となる第１の位置とは別の第２の位置として、上記アクセス通路を交差部分の手前で通行不能に遮断する位置を有し、上記第１の位置と第２の位置との間で回動可能な兼用部材として構成したこと。
【請求項２】
上記交差部ガード部材を、上記兼用部材として、上記アクセス通路のガードレールと並んで出入り口の上方に位置する第１の位置と、上記出入り口の上方から外れて出入り口の上方空間を広げるとともに上記アクセス通路を遮断する第２の位置との間で回動可能に設けたことを特徴とする請求項１記載の建設機械。
【請求項３】
上記上部旋回体における上記メンテナンス通路の出入り口が設けられた側の外面にデッキを、上記メンテナンス通路に対する進入路となる状態で前後方向に設けたことを特徴とする請求項１または２記載の建設機械。
【請求項４】
上記メンテナンス通路の上方に、上記メンテナンス通路を上記交差部分以外で上方から覆う非交差部カバー部材を設け、この非交差部カバー部材と上記第１の位置での交差部カバー部材とにより、メンテナンス通路を、全長部分で上方が閉じた空気通路として構成したことを特徴とする請求項１〜３のいずれか１項に記載の建設機械。
【発明の詳細な説明】
【技術分野】
【０００１】
本発明は大型の油圧ショベルや同ショベルを母体として構成される解体機等の建設機械に関するものである。
【背景技術】
【０００２】
油圧ショベル等の建設機械は、クローラ式の下部走行体上に上部旋回体が地面に対して垂直となる軸のまわりに旋回自在に搭載され、この上部旋回体の前部中央に掘削、解体作業等を行うためのフロントアタッチメント、前部左側にキャビン、後端部にカウンタウェイトがそれぞれ設けられる。
【０００３】
この明細書において、「前後」「左右」は、フロントアタッチメント側を前方とした場合の方向性をいう。
【０００４】
上部旋回体には、後部であってカウンタウェイトの前方にエンジンとその関連機器(熱交換器、冷却ファン等)が設置されたエンジンルームが設けられるとともに、このエンジンルームのさらに前方に機器収容部が設けられ、この機器収容部にバルブ類やタンク類がカバー材で覆われて、あるいは露出して設置される。
【０００５】
このような建設機械、とくに大型の建設機械において、エンジンルーム及び機器収容部に設置された機器類のメンテナンスを行い易くするために、特許文献１，２に示されるように、エンジンルームと機器収容部との間に左右方向に延びるメンテナンス通路を設けたものが公知である。
【０００６】
このメンテナンス通路は、前後両側及び通路奥側の各側壁と底板(床板)によって凹溝状の通路として形成される。
【０００７】
一方、大型の建設機械においては、輸送時に、重量制限に対応するため上部旋回体からフロントアタッチメント及びカウンタウェイトを取り外す必要がある。
【０００８】
そこで、作業員がフロントアタッチメント及びカウンタウェイトの着脱部分に容易にアクセスできるように、メンテナンス通路とは別に、上部旋回体の左右少なくとも片側において上面部にアクセス通路を設けるのが望ましい。
【０００９】
このアクセス通路は、昇降口が設けられた上部旋回体の前端部からカウンタウェイト手前まで前後方向の一定長さ範囲に亘って設けるのが望ましい。
【００１０】
なお、このアクセス通路に似た通路として、メンテナンス通路に対する進入路としての通路を前端部とメンテナンス通路の出入り口までの範囲に亘って前後方向に設けたものは特許文献３に示されている。
【先行技術文献】
【特許文献】
【００１１】
【特許文献１】特開２００４−２７０２６８号公報
【特許文献２】特開２００２−８８８１８号公報
【特許文献３】特開２０１０−４７９７５号公報
【発明の概要】
【発明が解決しようとする課題】
【００１２】
上記のようにメンテナンス、アクセス両通路を設ける場合、メンテナンス通路は左右方向に、アクセス通路は前後方向にそれぞれ設けられるため、両通路がメンテナンス通路の出入り口部分で交差することになる。
【００１３】
ここで、メンテナンス通路は、エンジン等のメンテナンス対象機器の設置レベルに合わせて比較的低位置に設けるのが望ましい。一方、アクセス通路は、作業員が高所、とくにカウンタウェイト上面に上がる必要があること等からメンテナンス通路よりも高位置に設けるのが望ましい。
【００１４】
つまり、両通路は、上記のように交差し、かつ、アクセス通路が高位となるように段差をもって設けられる。
【００１５】
この通路構成をとる場合、アクセス通路の連続性を確保するために、交差部分にアクセス通路の床板となるカバー部材を設ける必要がある。
【００１６】
このカバー部材は、交差部分でメンテナンス通路を上から覆う状態で設けられるため、このままではメンテナンス通路の有効高さが低くなり過ぎて、実際上、作業員が通行できなくなる。このため、メンテナンス時にはこのカバー部材を交差部分から撤去する必要がある。
【００１７】
ところが、カバー部材を撤去すると、アクセス通路が交差部分で分断されるため、別の作業員の通行を止めて安全を確保する必要がある。
【００１８】
この点の対策として、上記状態でアクセス通路を通行できないように交差部分の手前(昇降口は前端部にあるため通常は交差部分の前側)に、通行を遮断するための専用の遮断器を置くことが考えられるが、この遮断器を用意し、状況に応じて設置／撤去・格納する面倒があること、及び設置／撤去に時間がかかることから得策でない。
【００１９】
そこで本発明は、メンテナンス、アクセス両通路をメンテナンス通路の出入り口側で交差し、かつ、段差を持って設ける通路構成を前提として、メンテナンス時に、交差部分で分断されたアクセス通路の通行を遮断でき、しかもこの遮断を通路構成成部材によって行うことができる建設機械を提供するものである。
【課題を解決するための手段】
【００２０】
上記課題を解決する手段として、本発明においては、次の(Ａ)〜(Ｇ)のすべての要件を具備するものである。
【００２１】
(Ａ)  下部走行体上に上部旋回体が旋回自在に搭載され、この上部旋回体は、作業員用の通路として、エンジン等の機器類のメンテナンスを行うための左右方向に延びるメンテナンス通路と、上部旋回体の少なくとも左右一側において作業員が前後方向に移動するための前後方向に延びるアクセス通路を有すること。
【００２２】
(Ｂ)  上記メンテナンス通路は、一端側に作業員が出入りするための出入り口を有すること。
【００２３】
(Ｃ)  上記メンテナンスとアクセス通路は、上記メンテナンス通路の出入り口側の端部で交差し、かつ、アクセス通路が高位となるように段差をもって設けたこと。
【００２４】
(Ｄ)  上記両通路の交差部分に交差部カバー部材を、メンテナンス通路を上方から覆う状態で上記アクセス通路に連なる床板となる第１の位置と、メンテナンス通路の通行の妨げとならないようにメンテナンス通路の上方から外れる第２の位置との間で移動可能に設けたこと。
【００２５】
(Ｅ)  上記アクセス通路の外縁に転落防止用の防護柵であるガードレールをアクセス通路に沿って設けたこと。
【００２６】
(Ｆ)  上記交差部分の外縁に、交差部分の防護柵となる交差部ガード部材を設けたこと。
【００２７】
(Ｇ)  上記交差部カバー部材と交差部ガード部材の少なくとも一方について、交差部カバー部材の場合は上記第２の位置として、交差部ガード部材の場合は防護柵となる第１の位置とは別の第２の位置として、上記アクセス通路を交差部分の手前で通行不能に遮断する位置を有し、上記第１の位置と第２の位置との間で回動可能な兼用部材として構成したこと。
【００２８】
この構成によれば、アクセス通路の使用時には交差部カバー部材が交差部分でのアクセス通路の床板となってアクセス通路の連続性が確保される。
【００２９】
一方、メンテナンス時(メンテナンス通路使用時)には、交差部カバー部材がメンテナンス通路の通行の妨げとならないように同通路の上方から外れる第２の位置に移動するため、メンテナンス通路の通行が容易となる。
【００３０】
そして、交差部カバー部材を第２の位置に移動させた状態、すなわちアクセス通路の交差部分での床板がなくなった状態で、同カバー部材と交差部ガード部材の少なくとも一方によってアクセス通路が交差部の手前で遮断されるため、アクセス通路を通行しようとする作業員の安全を確保することができる。
【００３１】
しかも、上記遮断を、交差部カバー部材または交差部ガード部材という通路構成部材(兼用部材)によって行うことができるため、別の専用遮断器を用意する必要も、この遮断器を設置／撤去、格納する余分な作業を行う必要もない。また、遮断／遮断解除も迅速に行うことができる。
【００３２】
本発明において、上記交差部ガード部材を、上記兼用部材として、上記アクセス通路のガードレールと並んで出入り口の上方に位置する第１の位置と、上記出入り口の上方から外れて出入り口の上方空間を広げるとともに上記アクセス通路を遮断する第２の位置との間で回動可能に設けるのが望ましい(請求項２)。
【００３３】
この構成によれば、交差部ガード部材を第２の位置(遮断位置)に移動させた状態で出入り口の上方空間を広げることができるため、作業員がメンテナンス通路に出入りする際に交差部ガード部材に頭をぶつけるおそれも、これを避けるために極端に前屈みになる必要もなくなり、出入りが楽になる。
【００３４】
本発明において、上記上部旋回体における上記メンテナンス通路の出入り口が設けられた側の外面にデッキを、上記メンテナンス通路に対する進入路となる状態で前後方向に設けるのが望ましい(請求項３)。
【００３５】
この構成によれば、デッキを使ってメンテナンス通路に容易かつ安全に出入りすることができる。
【００３６】
また本発明においては、上記メンテナンス通路の上方に、上記メンテナンス通路を上記交差部分以外で上方から覆う非交差部カバー部材を設け、この非交差部カバー部材と上記第１の位置での交差部カバー部材とにより、メンテナンス通路を、全長部分で上方が閉じた空気通路として構成するのが望ましい(請求項４)。
【００３７】
このように、メンテナンス通路がメンテナンス時以外には空気通路となるように構成すれば、同通路を、エンジンルームの熱交換器に通される冷却空気(排気または吸気)の通り道として有効利用し、熱交換器の冷却効率を上げることが可能となる。
【発明の効果】
【００３８】
本発明によると、メンテナンス、アクセス両通路をメンテナンス通路の出入り口側で交差し、かつ、段差を持って設ける通路構成を前提として、メンテナンス時に、交差部分で分断されたアクセス通路の通行を遮断でき、しかもこの遮断を通路構成成部材によって行うことができる。
【図面の簡単な説明】
【００３９】
【図１】本発明の実施形態に係る建設機械のベースマシン全体の概略側面図である。
【図２】同、メンテナンス通路非使用時の平面図である。
【図３】同、メンテナンス通路使用時の平面図である。
【図４】図３のＩＶ−ＩＶ線拡大断面図である。
【図５】メンテナンス通路不使用時の一部拡大側面図である。
【図６】メンテナンス通路使用時の図５相当図である。
【図７】ベースマシンの図１，２，５の状態の部分斜視図である。
【図８】ベースマシンの図３，４，６の状態の部分斜視図である。
【発明を実施するための形態】
【００４０】
図１〜図３は実施形態に係る建設機械のベースマシンを示す。
【００４１】
このベースマシンは、クローラ式の下部走行体１上に上部旋回体２が地面に対して垂直な軸Ｏのまわりに旋回自在に搭載されて構成され、上部旋回体２の前部中央に図示しない作業用のフロントアタッチメントが起伏自在に装着されるとともに、前部左側にキャビン３、後端部にカウンタウェイト４がそれぞれ搭載される。
【００４２】
また、上部旋回体２の後部(カウンタウェイト４の前方)に図示しないエンジンとその関連機器(熱交換器、冷却ファン等)が設置されるエンジンルーム５が設けられるとともに、このエンジンルーム５の前方に機器収容部６が設けられ、この機器収容部６にバルブ類、タンク類その他の機器類がカバー材で覆われて、または露出して設置される。
【００４３】
図ではエンジンルーム５及び機器収容部６を、単なる区画として示し、収容される機器類等の図示を省略している。
【００４４】
この上部旋回体２におけるエンジンルーム５と機器収容部６の間に左右方向に延びるメンテナンス通路７(図３中に左下がりの斜線を付して示している)が設けられ、作業員がこのメンテナンス通路７に進入して、同通路７に沿って両側に設置されたメンテナンス対象機器類のメンテナンスを行い得るようになっている。
【００４５】
このメンテナンス通路７は、前後両側及び通路奥側の各側壁と底板(符号省略)によって、一端側に外部に開口する出入り口８を備え、他端側が突き当たりとなった凹溝状の通路として形成され、上部旋回体の左外側面に外向きに張り出して設けられた作業用の足場となるデッキ(キャットウォークと称される場合がある)９を通じて出入り可能となっている。
【００４６】
また、出入り口８には、換気口付きの出入り口扉１０が、後側(カウンタウェイト４側)を支点として閉じ位置と外向きに開いた開き位置との間で開閉自在に設けられている。
【００４７】
なお、メンテナンス通路７とデッキ９の間には段差があるため、出入りし易くするためにメンテナンス通路７の出入り口側の端部は階段状に形成されている(図４，６参照)。
【００４８】
また、図２〜図４に示すようにデッキ９は右外側面にも設けられている。
【００４９】
一方、作業員がフロントアタッチメント及びカウンタウェイト４の着脱部分に容易にアクセスできるように、メンテナンス通路７とは別に、上部旋回体の左側上面部にアクセス通路１１(図２，３中に右下がりの斜線を付して示している)が設けられている。
【００５０】
このアクセス通路１１は、昇降口が設けられた前端部からカウンタウェイト４の手前までの、上部旋回体２のほぼ全長に亘って設けられている。
【００５１】
ここで、メンテナンス通路７は左右方向に、アクセス通路１１は前後方向にそれぞれ延びるため、両通路７，１１はメンテナンス通路７の出入り口８側で交差する状態で設けられている。
【００５２】
また、前記のようにメンテナンス通路７は、エンジン等のメンテナンス対象機器の設置レベルに合わせて比較的低位置に設けられる一方、アクセス通路１１は、作業員が高所、とくにカウンタウェイト４の上面に上がる必要があること等からメンテナンス通路７よりも高位置に設けられている。
【００５３】
つまり、両通路７，１１は、上記のように交差し、かつ、アクセス通路１１が高位となるように段差をもって設けられている。
【００５４】
この通路構成において、アクセス通路１１の連続性を確保するために、交差部分にアクセス通路１１の床板となる交差部カバー部材１２が設けられている。
【００５５】
この交差部カバー部材１２は、交差部分においてメンテナンス通路７をアクセス通路１１の高さで上から覆う状態で設けられている。
【００５６】
また、メンテナンス通路７の他の部分についても、交差部カバー部材１２と同じ高さで非交差部カバー部材１３が設けられ、この交差部、非交差部両カバー部材１２，１３により、メンテナンス通路７が、メンテナンス時以外は全長部分で上方が閉じられる。
【００５７】
すなわち、メンテナンス通路７は、メンテナンス時以外は前後、上下の四周が閉じた閉通路となり、この閉通路であるメンテナンス通路７を、エンジンルーム５内の熱交換器に通される冷却空気(排気または吸気)の通り道として機能させるように構成されている。
【００５８】
ここで、交差部、非交差部両カバー部材１２，１３は、前記のようにアクセス通路１１の高さレベルで設けられ、アクセス通路１１とメンテナンス通路７の高さの差は人間の身長よりも小さいため、このままではメンテナンス通路７の有効高さが低くなり過ぎて、実際上、作業員が通行できなくなる。
【００５９】
そこで、両カバー部材１２，１３は、前端側(左右方向の水平軸)を中心として、水平姿勢でメンテナンス通路上方を覆う第１の位置と、前側に垂直に起き上がって同通路上方を開く第２の位置との間で回動(開閉)自在に取付けられている。
【００６０】
こうして、メンテナンス時に、図３，４及び図６に示すように両カバー部材１２，１３を開いて作業員がメンテナンス通路７を立って通行できるように構成されている。
【００６１】
一方、アクセス通路１１の外縁に転落防止用の防護柵であるガードレール１４が、同通路１１の全長に亘って設けられている。
【００６２】
また、両通路７，１１の交差部分において、交差部分用の防護柵としての交差部ガード部材１５がガードレール１４との連続性が保たれるように同レール１４と並んで設けられている。
【００６３】
この交差部ガード部材１５は、図示のようにパネル状としてもよいし、ガードレール１４と同様にパイプを組み合わせて形成してもよい。
【００６４】
ここで、交差部ガード部材１５は、メンテナンス通路７の出入り口８の上方(ほぼ真上)に位置するため、このままでは出入り口８の有効高さが低くなり、作業員が出入りする際に同ガード部材１５に頭をぶつけるおそれがある。あるいは、これを避けるために作業員が極端に前屈みになる必要があり、いずれにしてもメンテナンス通路７の出入りに支障を来たす。
【００６５】
そこで、交差部ガード部材１５は、前端側(垂直軸)を中心として、出入り口上方にあって防護柵機能を果たす第１の位置と、この第１の位置から内側(メンテナンス通路７側)にほぼ９０度、回動してメンテナンス通路７の前側壁に沿う第２の位置との間で変位可能に取付けられている。
【００６６】
これにより、交差部ガード部材１５を第２の位置に移動させた状態で出入り口８の上方空間を広げることができるため、作業員がメンテナンス通路７に出入りする際に交差部ガード部材１５に頭をぶつけるおそれも、これを避けるために極端に前屈みになる必要もなくなり、出入りが楽になる。
【００６７】
なお、両カバー部材１２，１３及び交差部ガード部材１５は、それぞれ周知の保持機構(図示省略)によって第１及び第２の位置に保持される。
【００６８】
また、図１〜図４、図７，８に示すように、カウンタウェイト４の外縁にウェイト部ガードレール１６が設けられている。さらに、両側デッキ９，９の外縁にもガードレールが設けられるが、ここでは図示省略している。
【００６９】
交差部カバー部材１２及び交差部ガード部材１５は、第２の位置において交差部分の手前(前側)でアクセス通路１１の上部空間を前後二重の壁のように横断し、同通路１１を通行不能に遮断した状態となる。
【００７０】
いいかえれば、この遮断状態が得られるように両部材１２，１５の取付位置、寸法等が設定されている。
【００７１】
こうして、交差部カバー部材１２を第２の位置に移動させた状態、すなわちアクセス通路１１の交差部分での床板がなくなって同通路１１が分断された状態で、同カバー部材１２と交差部ガード部材１５によってアクセス通路１１を交差部の手前で遮断することにより、メンテナンス時に、メンテナンス作業員とは別のアクセス作業員がアクセス通路１１を通行しようとした場合に、その通行を阻止してアクセス作業員の安全を確保することができる。
【００７２】
以上のように、この建設機械によると、アクセス通路１１の使用時には交差部カバー部材１２が交差部分でのアクセス通路の床板となってアクセス通路１１の連続性を確保することができる。
【００７３】
一方、メンテナンス時(メンテナンス通路使用時)には、交差部カバー部材１２及び非交差部カバー部材１３を、メンテナンス通路７の通行の妨げとならないように同通路１２の上方から外れる第２の位置に移動させることにより、メンテナンス通路７の通行、ひいてはメンテナンス作業が容易となる。
【００７４】
そして、交差部カバー部材１２を第２の位置に移動させた状態、すなわちアクセス通路１１が交差部分で分断された状態で、同カバー部材１２と交差部ガード部材１５によってアクセス通路１１を交差部分の手前で遮断するため、メンテナンス時にアクセス通路１１を通行しようとする作業員の安全を確保することができる。
【００７５】
この場合、交差部カバー部材１２と交差部ガード部材１５が重なり合ってニ重遮断器の状態となるため、遮断効果がより高くなる。
【００７６】
しかも、上記遮断を、交差部カバー部材１２及び交差部ガード部材１５という通路構成部材によって行うことができるため、つまり、両部材１２，１５を遮断器として兼用するため、別の専用遮断器を用意する必要も、この遮断器を設置／撤去、格納する余分な作業を行う必要もない。また、遮断／遮断解除も両部材１２，１５の回動によって迅速に行うことができる。
【００７７】
加えて、この建設機械によると次の効果を得ることができる。
【００７８】
(ｉ)  交差部ガード部材１５を第２の位置(遮断位置)に移動させた状態でメンテナンス通路７の出入り口８の上方空間を広げることができるため、作業員がメンテナンス通路７に出入りする際に交差部ガード部材１５に頭をぶつけるおそれも、これを避けるために極端に前屈みになる必要もなくなり、出入りが楽になる。
【００７９】
(ｉｉ)  左側デッキ９を使ってメンテナンス通路７に容易かつ安全に出入りすることができる。
【００８０】
(ｉｉｉ)  メンテナンス通路７が、メンテナンス時以外には四周が閉じた閉通路となり、同通路７を熱交換器冷却用の排気または吸気の通り道(空気通路)として利用できるため、熱交換器の冷却効率を上げることが可能となる。
【００８１】
他の実施形態
(１)  上記実施形態では、交差部カバー部材１２と交差部ガード部材１５の両者をそれぞれ第２の位置で交差部分の前側に位置させて遮断器として機能させる構成をとったが、両部材１２，１５を交差部分の前側と後側に分けて前後両側で遮断器機能を発揮させる構成をとってもよい。
【００８２】
こうすれば、アクセス作業員が前方から後方(カウンタウェイト４側)に向かう場合だけでなくその逆に向かう場合にも安全性を確保することができる。
【００８３】
(２)  交差部カバー部材１２と交差部ガード部材１５の一方のみを遮断器として兼用する構成をとってもよい。
【００８４】
たとえば、交差部カバー部材１２のみを遮断器として兼用し、交差部ガード部材１５はメンテナンス時には第２の位置として外開きに開くようにしてもよい。
【００８５】
あるいは、交差部ガード部材１５のみを遮断器として兼用し、交差部カバー部材１２は第２の位置として下向き垂直に回動させる構成や、前側または後側にスライドさせる構成をとってもよい。
【００８６】
(３)  上記実施形態では、メンテナンス通路７を、出入り口８と反対側が突き当たりとなった非貫通路として形成したが、同通路７を両側に出入り口を備えた貫通路として形成してもよい。
【００８７】
この場合、アクセス通路１１も左右両側に設けて、左右両側で両通路７，１１が交差する通路構成をとり、両側交差部分について上記実施形態または上記他の実施形態の構成をとってもよい。
【００８８】
(４)  上記実施形態ではメンテナンス通路７に対してデッキ９を通じて出入りする構成をとったが、他のルート、たとえば上部旋回体２の外側面に設けたはしごを通じて出入りする構成をとってもよい。
【符号の説明】
【００８９】
１  下部走行体
２  上部旋回体
５  エンジンルーム
６  機器収容部
７  メンテナンス通路
９  デッキ
１０  出入り口扉
１１  アクセス通路
１２  交差部カバー部材
１３  非交差部カバー部材
１４  ガードレール
１５  交差部ガード部材
【図１】
2014202021.tif 000003
【図２】
2014202021.tif 000004
【図３】
2014202021.tif 000005
【図４】
2014202021.tif 000006
【図５】
2014202021.tif 000007
【図６】
2014202021.tif 000008
【図７】
2014202021.tif 000009
【図８】
2014202021.tif 000010